(57)【要約】【課題】  従来の技術では、リムーバブルメディアの取り忘れの対策としては不十分であった。【解決手段】  外部メモリの装着を検知している状態で、その外部メモリへのアクセス、或はユーザ操作が連続して予め決められた時間の間に発生しない場合（Ｓ１１）に、外部メモリが装着されたままであることを警告する（Ｓ１３，Ｓ１４）。この警告後、その外部メモリを使用した機能の実行を禁止するように制御する（Ｓ１５）。【選択図】  図８
2008153790.tif 000002
【特許請求の範囲】
【請求項１】
ユーザによる操作を受付ける操作手段と、
外部メモリを着脱可能なメモリ接続手段と、
前記メモリ接続手段に装着された前記外部メモリにアクセスするアクセス手段と、
前記メモリ接続手段に外部メモリが装着されているか否かを検知する検知手段と、
前記検知手段が前記外部メモリの装着を検知している状態で、前記アクセス手段による当該外部メモリへのアクセス、或は前記操作手段からの操作が連続して予め決められた時間発生しない場合に、前記外部メモリが装着されたままであることを警告する警告手段と、
前記警告手段による警告後、前記外部メモリを使用した機能の実行を禁止するように制御する機能無効化手段と、
を有することを特徴とする画像形成装置。
【請求項２】
前記外部メモリを使用した機能の実行を指示したユーザを認証する認証手段を更に有し、
前記警告手段は、前記認証手段により認証された前記ユーザに対して警告することを特徴とする請求項１に記載の画像形成装置。
【請求項３】
ユーザによる操作を受付ける操作手段と、
外部メモリを着脱可能なメモリ接続手段と、
前記メモリ接続手段に装着された前記外部メモリにアクセスするアクセス手段と、
前記メモリ接続手段に外部メモリが装着されているか否かを検知する検知手段と、
ユーザの認証を行う認証手段と、
前記検知手段が前記外部メモリの装着を検知している状態でのユーザ操作に応じて、前記外部メモリが装着されたままであることを警告する警告手段と、
前記警告手段による警告後、前記外部メモリを使用した機能の実行を禁止するように制御する機能無効化手段と、
を有することを特徴とする画像形成装置。
【請求項４】
前記ユーザ操作は、前記認証手段によるユーザの認証の解除操作であることを特徴とする請求項３に記載の画像形成装置。
【請求項５】
前記ユーザ操作は、前記画像形成装置を節電モードに設定する操作であることを特徴とする請求項３に記載の画像形成装置。
【請求項６】
前記ユーザ操作は、前記画像形成装置の電源オン操作であることを特徴とする請求項３に記載の画像形成装置。
【請求項７】
前記警告手段は更に、前記画像形成装置に登録されている管理者に対しても警告することを特徴とする請求項１乃至６のいずれか１項に記載の画像形成装置。
【請求項８】
前記機能無効化手段は、前記外部メモリを使用した機能の実行を指示するためのメニュー項目表示を消去することを特徴とする請求項１乃至７のいずれか１項に記載の画像形成装置。
【請求項９】
前記警告手段は、前記ユーザ或は管理者に対して電子メールで警告することを特徴とする請求項１乃至８のいずれか１項に記載の画像形成装置。
【請求項１０】
前記無効化手段の後、前記画像形成装置を節電モードに設定する節電モード設定手段を更に有することを特徴とする請求項５に記載の画像形成装置。
【請求項１１】
前記時間をユーザにより設定させる設定手段を更に有することを特徴とする請求項１に記載の画像形成装置。
【請求項１２】
外部メモリを装着可能な画像形成装置の制御方法であって、
外部メモリが装着されているか否かを検知する検知工程と、
前記検知工程により前記外部メモリの装着を検知している状態で、当該外部メモリへのアクセス、或はユーザ操作が連続して予め決められた時間発生しない場合に、前記外部メモリが装着されたままであることを警告する警告工程と、
前記警告工程による警告後、前記外部メモリを使用した機能の実行を禁止するように制御する機能無効化工程と、
を有することを特徴とする画像形成装置の制御方法。
【請求項１３】
前記外部メモリを使用した機能の実行を指示したユーザを認証する認証工程を更に有し、
前記警告工程は、前記認証工程で認証された前記ユーザに対して警告することを特徴とする請求項１２に記載の画像形成装置の制御方法。
【請求項１４】
外部メモリを装着可能な画像形成装置の制御方法であって、
外部メモリが装着されているか否かを検知する検知工程と、
ユーザの認証を行う認証工程と、
前記検知工程で前記外部メモリの装着を検知している状態でのユーザ操作に応じて、前記外部メモリが装着されたままであることを警告する警告工程と、
前記警告工程による警告後、前記外部メモリを使用した機能の実行を禁止するように制御する機能無効化工程と、
を有することを特徴とする画像形成装置の制御方法。
【請求項１５】
前記ユーザ操作は、前記認証工程によるユーザの認証の解除操作であることを特徴とする請求項１４に記載の画像形成装置の制御方法。
【請求項１６】
前記ユーザ操作は、前記画像形成装置を節電モードに設定する操作であることを特徴とする請求項１４に記載の画像形成装置の制御方法。
【請求項１７】
前記ユーザ操作は、前記画像形成装置の電源オン操作であることを特徴とする請求項１４に記載の画像形成装置の制御方法。
【請求項１８】
前記警告工程は更に、前記画像形成装置に登録されている管理者に対しても警告することを特徴とする請求項１２乃至１７のいずれか１項に記載の画像形成装置の制御方法。
【請求項１９】
前記機能無効化工程は、前記外部メモリを使用した機能の実行を指示するためのメニュー項目表示を消去することを特徴とする請求項１２乃至１８のいずれか１項に記載の画像形成装置の制御方法。
【請求項２０】
前記警告工程は、前記ユーザ或は管理者に対して電子メールで警告することを特徴とする請求項１２乃至１９のいずれか１項に記載の画像形成装置の制御方法。
【請求項２１】
前記無効化工程の後、前記画像形成装置を節電モードに設定する節電モード設定工程を更に有することを特徴とする請求項１６に記載の画像形成装置の制御方法。
【請求項２２】
前記時間をユーザにより設定させる設定工程を更に有することを特徴とする請求項１２に記載の画像形成装置の制御方法。
【発明の詳細な説明】
【技術分野】
【０００１】
本発明は、例えばＵＳＢ（Universal Serial Bus）メモリやメモリカード等の外部メモリを装着できる画像形成装置及びその制御方法に関する。
【背景技術】
【０００２】
最近、画像形成装置の一つである、プリンタ機能、コピー機能、ＦＡＸ機能、スキャナ機能等を有する多機能処理装置（ＭＦＰ）がオフィス等で多く使用されている。このＭＦＰにおいて、他の周辺機器と共通する規格で使用できるＵＳＢメモリやメモリカード（リムーバブルメディア）を外部記憶装置として装着できるコネクタが設けられたものが提案されている。このＭＦＰでは、そのコネクタに差し込まれたリムーバブルメディアに記憶した情報を読み出して印刷したり、ファクシミリ送信できる。また、このＭＦＰのスキャナで読取った画像データを、装着されているリムーバブルメディアに保存できる。これにより、ＰＣ等を必要とせずに、リムーバブルメディアに読取った画像データを記憶できるため、非常に利便性の高い機能実現している。
【０００３】
しかしこのＭＦＰで、このリムーバブルメディアに関連した機能を実施した後、ユーザが、そのコネクタに差し込まれたリムーバブルメディアを取り忘れると、他のユーザに、そのメディアに記憶している情報を知られてしまう等の不都合がある。このため、このようなリムーバブルメディアの取り忘れに対する対策が必要となっている。
【０００４】
装着されたリムーバブルメディアからの情報を印刷する画像形成装置において、リムーバブルメディアの取り忘れを防止するための方法が提案されている。例えば、コピー等の指示入力時に、リムーバブルメディアが装着されているかを判断して、メディアが装着されている場合は、その指示入力された動作を禁止する記憶情報出力装置が提案されている（特許文献１）。このような記憶情報出力装置によれば、リムーバブルメディアが装着されたままになっていることをユーザに警告することができる。
【特許文献１】特開２００６−１０７３７６号公報
【発明の開示】
【発明が解決しようとする課題】
【０００５】
しかしながら、上述のようなリムーバブルメディアの取り忘れを警告する機能を有する記憶情報出力装置では、警告する対象を、そのメディアの所有者に限定していない。即ち、リムーバブルメディアが装着されていると、そのメディアの所有者ではない他のユーザに対しても、メディアが装着されたままになっていることを報知してしまう可能性がある。従って、リムーバブルメディアの取り忘れを警告することにより、そのメディアの所有者であるユーザ以外の他のユーザに、そのメディアの情報を見られてしまう等の危険性が増大する。従って、従来の技術では、リムーバブルメディアの取り忘れの対策としては不十分であった。
【０００６】
本発明の目的は、上記従来技術の問題点を解決することにある。
【０００７】
本願発明の特徴は、外部メモリが取り忘れられている場合、そのメモリの所有者以外のユーザによる、その外部メモリへのアクセスを禁止できる。また、その所有者に対して、そのメモリの取り忘れを確実に通知できるようにすることにある。
【課題を解決するための手段】
【０００８】
上記目的を達成するために本発明の一態様に係る画像形成装置は以下のような構成を備える。即ち、
ユーザによる操作を受付ける操作手段と、
外部メモリを着脱可能なメモリ接続手段と、
前記メモリ接続手段に装着された前記外部メモリにアクセスするアクセス手段と、
前記メモリ接続手段に外部メモリが装着されているか否かを検知する検知手段と、
前記検知手段が前記外部メモリの装着を検知している状態で、前記アクセス手段による当該外部メモリへのアクセス、或は前記操作手段からの操作が連続して予め決められた時間発生しない場合に、前記外部メモリが装着されたままであることを警告する警告手段と、
前記警告手段による警告後、前記外部メモリを使用した機能の実行を禁止するように制御する機能無効化手段と、を有することを特徴とする。
【０００９】
上記目的を達成するために本発明の一態様に係る画像形成装置は以下のような構成を備える。即ち、
ユーザによる操作を受付ける操作手段と、
外部メモリを着脱可能なメモリ接続手段と、
前記メモリ接続手段に装着された前記外部メモリにアクセスするアクセス手段と、
前記メモリ接続手段に外部メモリが装着されているか否かを検知する検知手段と、
ユーザの認証を行う認証手段と、
前記検知手段が前記外部メモリの装着を検知している状態でのユーザ操作に応じて、前記外部メモリが装着されたままであることを警告する警告手段と、
前記警告手段による警告後、前記外部メモリを使用した機能の実行を禁止するように制御する機能無効化手段と、を有することを特徴とする。
【００１０】
上記目的を達成するために本発明の一態様に係る画像形成装置の制御方法は以下のような工程を備える。即ち、
外部メモリを装着可能な画像形成装置の制御方法であって、
外部メモリが装着されているか否かを検知する検知工程と、
前記検知工程により前記外部メモリの装着を検知している状態で、当該外部メモリへのアクセス、或はユーザ操作が連続して予め決められた時間発生しない場合に、前記外部メモリが装着されたままであることを警告する警告工程と、
前記警告工程による警告後、前記外部メモリを使用した機能の実行を禁止するように制御する機能無効化工程と、を有することを特徴とする。
【００１１】
上記目的を達成するために本発明の一態様に係る画像形成装置の制御方法は以下のような工程を備える。即ち、
外部メモリを装着可能な画像形成装置の制御方法であって、
外部メモリが装着されているか否かを検知する検知工程と、
ユーザの認証を行う認証工程と、
前記検知工程で前記外部メモリの装着を検知している状態でのユーザ操作に応じて、前記外部メモリが装着されたままであることを警告する警告工程と、
前記警告工程による警告後、前記外部メモリを使用した機能の実行を禁止するように制御する機能無効化工程と、を有することを特徴とする。
【発明の効果】
【００１２】
本発明によれば、外部メモリが取り忘れられていると判断した場合に、その外部メモリを使用した機能の実行を禁止することにより、その外部メモリの所有者以外のユーザによる外部メモリへのアクセスを禁止できる。
【発明を実施するための最良の形態】
【００１３】
以下、添付図面を参照して本発明の好適な実施の形態を詳しく説明する。尚、以下の実施の形態は特許請求の範囲に係る本発明を限定するものでなく、また本実施の形態で説明されている特徴の組み合わせの全てが本発明の解決手段に必須のものとは限らない。
【００１４】
図１は、本発明の実施の形態に係る画像形成装置（ＭＦＰ）の外観斜視図である。例えば、本実施の形態を適用するに好適なマルチファンクションプリンタ（ＭＦＰ）の外観図である。尚、このＭＦＰのプリント方式は、レーザビームプリンタ等の電子写真方式に限られるものではなく、他のプリント方式のＭＦＰでも良いことは言うまでもない。
【００１５】
ＭＦＰ１００は、ＵＳＢメモリやメモリカード等のリムーバブルメディアを装着して、そのメモリにアクセスできるリムーバブルメディアＩ／Ｆ１１２を有している。このリムーバブルメディアＩ／Ｆ１１２にＵＳＢメモリ等のリムーバブルメディア（以下、外部メモリと呼ぶ）を接続することにより、その外部メモリとＭＦＰ１００間で、双方向での情報の送受信が可能となる。このリムーバブルメディアＩ／Ｆ１１２は、例えばＵＳＢやメモリカード用のコネクタやスロット等のメモリ接続手段や、その外部メモリ３２５にアクセスするアクセス手段としても機能している。
【００１６】
ＭＦＰ１００は操作パネル１１１を備えており、この操作パネル１１１を使用して、ユーザ操作による各種の指示や、文字、数字等のデータを入力することができる。操作パネル１１１は、ユーザによる入力を受け付ける複数のキー等を有する操作部１１１ａと、ユーザに対する指示メニューや取得した画像に関する情報等を表示する液晶等の表示部１１１ｂを有している。この表示部１１１ｂは、指示メニューやソフトウェアボタン等を表示し、そのメニューやコマンド部分がユーザによりタッチされることにより、その指示内容を入力できるタッチパネル機能をも有している。またこのＭＦＰ１００は、原稿を光学的に読み取って画像データを得るスキャナ部１１４と、画像データに基づいて記録シート上に画像を印刷する印刷部１１３とを備えている。
【００１７】
図２は、本実施の形態に係るＭＦＰ１００のハードウエア構成を示すブロック図である。
【００１８】
図２において、ＣＰＵ３１１は、ＲＯＭ３１３のプログラムＲＯＭに記憶された制御プログラム、或いはハードディスク（ＨＤ）３２３に記憶された制御プログラム等に基づいてシステムバス３１４に接続される各種のデバイスを制御している。即ち、ＣＰＵ３１１は、これらデバイスとの間でのアクセス制御や、印刷部インタフェース３１６を介して接続される印刷部（プリンタエンジン）１１３に印刷用データを出力して印刷するように制御している。またスキャナ部１１４で読取った画像データをスキャナ部Ｉ／Ｆ３１７を介して入力する。また、このＲＯＭ３１３のプログラムＲＯＭには、本実施の形態におけるフローチャートで示されるようなＣＰＵ３１１の制御プログラム等を記憶しても良い。またＲＯＭ３１３のフォントＲＯＭは、印刷部１１３に出力する印刷用データを生成する際に使用するフォントデータ等を記憶している。更にＲＯＭ３１３のデータＲＯＭは、ブートプログラムや、ネットワーク２００を介してホストコンピュータ２１１により利用される情報等を記憶している。
【００１９】
ＣＰＵ３１１は、ネットワークＩ／Ｆ３１５を介してホストコンピュータ２１１との通信処理が可能である。また、ネットワークＩ／Ｆ３１５は、ネットワーク通信路３１９に接続されインターネット等のネットワーク２００にアクセス可能に構成されている。
【００２０】
ＲＡＭ３１２は、ＣＰＵ３１１の主メモリ、ワークエリア等として機能しており、図示しない増設ポートに接続されるオプションＲＡＭによりメモリ容量を拡張することができるように構成されている。尚、このＲＡＭ３１２は出力情報の展開領域としても使用される。更に、環境データ格納領域、後述するユーザや管理者の認証情報やＩＤ、メールアドレス等を不揮発に記憶するための不揮発メモリエリア（ＮＶＲＡＭ）も有している。尚、これら不揮発に記憶される情報は、オプションのＨＤ３２３が設けられている場合には、そのＨＤ３２３に記憶されても良い。またハードディスク（ＨＤ）３２３は、メモリコントローラ（ＭＣ）３１８によりアクセスが制御される。またハードディスク３２３はオプションとして接続され、フォントデータ、エミュレーションプログラム、フォームデータ等を記憶する。また、リムーバブルメディアＩ／Ｆ１１２を介して接続される外部メモリ３２５は１種類に限らず、複数種のメモリが装着可能である。また、この外部メモリとしては、内蔵フォントに加えて、オプションフォントカード、言語系の異なるプリンタ制御言語を解釈するプログラム等を格納したメモリであっても良い。更に、これら複数の外部メモリを同時に接続できるように構成されていても良い。
【００２１】
操作パネル１１１は、操作のためのスイッチ及びＬＥＤ、表示部１１１ｂ等が配されている。更に、前述のＲＡＭ３１２のＮＶＲＡＭに、操作パネル１１１から設定されたプリンタのモード設定情報を記憶するようにしても良い。スキャナ部１１４は原稿読み取り部で、原稿等を読み取り、その読取った画像データをスキャナＩ／Ｆ部３１７を介してシステムバス３１４に出力する。ネットワーク通信路３１９は、ネットワーク２００との間で所定のプロトコルで通信可能に構成されている。このネットワーク２００には、複数のコンピュータ（ＰＣ）２１１が接続されている。
【００２２】
前述したようにリムーバブルメディアＩ／Ｆ１１２は、ＵＳＢ用のコネクタやカードメモリ用のスロットを有している。このＩ／Ｆ１１２は、外部メモリ３２５にアクセスして、その記憶情報を読取ったり、或はそのメモリにデータを書き込んで記憶させることができる。またこのリムーバブルメディアＩ／Ｆ１１２は、外部メモリ３２５が装着されているか否かを検知する検知部（検知手段）を有し、外部メモリ３２５の装着状態を検知してＣＰＵ３１１に通知する。この通知を受けたＣＰＵ３１１は、外部メモリ３２５を使用した機能を実行できるように制御している。例えば、外部メモリ３２５に記憶されている画像データを読み出して印刷部１１３で印刷する機能（ダイレクト印刷機能）や、スキャナ部１１４で読取った画像データを外部メモリ３２５に保存する機能（スキャンＴｏメモリ）等の機能を実行可能にする。ＣＰＵ３１１は、これらの機能が実行可能な場合は、その機能を選択するメニューやコマンド等を操作パネル１１１の表示部１１１ｂに表示する。尚、リムーバブルメディアＩ／Ｆ１１２におけるカードスロットは、いわゆる複数種の規格化されているメディアに対応したメモリスロットで構成される。よって、メモリカードに換えて、例えばＳＤメモリカード、コンパクトフラッシュ（登録商標）、メモリスティック、フラッシュメモリ（登録商標）等を接続可能に構成されていても良い。タイマ３２１は、ＣＰＵ３１１の指示に基づいて、指定された時間の計時や、日時情報の計測などを行っている。
【００２３】
尚、上述の外部メモリ３２５に記憶される情報は、例えばユーザがホストコンピュータにインストールされたアプリケーションを実行して作成されたデータファイルであってもよい。例えば、イメージデータ、グラフィックスデータ、テキストデータ或は、これらの組み合わせデータを含む各種のデータやデジタルカメラで撮像された撮像データを含んでも良い。
【００２４】
図３は、本発明の実施の形態に係るＭＦＰ１００における外部メモリ３２５を使用した機能の処理手順の一例を示すフローチャートである。この処理を実行するプログラムはプログラムＲＯＭに記憶されており、この処理手順は、ＣＰＵ３１１がＲＯＭ３１３やハードディスク３２３に記憶された制御プログラムに基づいて実行するダイレクト印刷手順に対応している。図３に示す各ステップは、ＣＰＵ３１１がＲＯＭ３１３のプログラム、或はハードディスク３２３に記憶された制御プログラムをＲＡＭ３１２にロードして実行することで実現される。尚、このＭＦＰ１００のＣＰＵ３１１の実行するソフトウエアは、複数の処理タスクが並列的に動作するマルチタスクのソフトウエア構造となっている。
【００２５】
まずステップＳ１で、ＭＦＰ１００は、ホストコンピュータ２１１からのデータ受信の待機中の諸処理を行い、ユーザからの印刷指示を待つ。次にステップＳ２に進み、ＭＦＰ１００のＣＰＵ３１１は、リムーバブルメディアＩ／Ｆ１１２からの検知信号をモニタして、ユーザにより外部メモリ３２５が装着されているかどうかを調べる。外部メモリ３２５が装着されていると判断した場合はステップＳ３に進み、そうでない場合はステップＳ１に戻る。
【００２６】
次に外部メモリ３２５が装着されるとステップＳ３に進み、ＭＦＰ１００のＣＰＵ３１１は、操作パネル１１１を通して、リムーバブルメディアＩ／Ｆ１１２に装着された外部メモリ３２５の画像データのプレビュー表示処理を行い、外部メモリ３２５の画像データの選択指示を受付ける。また、この選択指示に基づいて印刷すべき画像データに対する印刷設定（コピー数、拡大縮小、フィニッシング指定等々）の指示等を受け付ける。例えば通常ユーザがプリントをする時に行う「部数」や「拡大縮小率」等の設定は、全てこのステップＳ３で行なわれる。
【００２７】
次にステップＳ４に進み、ＭＦＰ１００のＣＰＵ３１１は、印刷処理を開始するかどうかをチェックする。即ち、ユーザが操作パネル１１１で、印刷開始指示（操作パネル１１１のスタートボタン等の操作に基づく）を出しかどうかＣＰＵ３１１がチェックする。印刷開始指示が出されているとＣＰＵ３１１が判断した場合にはステップＳ５に進むが、印刷開始指示が出されていないとＣＰＵ３１１が判断した場合はステップＳ３に戻って、更にユーザからの印刷指示を受け付ける。
【００２８】
ステップＳ５では、ＣＰＵ３１１は、ＲＡＭ３１２で外部メモリ３２５の画像データを印刷部１１３が出力可能な印刷データへ変換する。そして、その印刷データを印刷部１１３へ出力ように処理する。尚、本実施の形態において、この印刷データへの変換とは、具体的には、ファイル形式が、例えばＰＤＦやＴｉｆｆやＪｐｅｇ等の画像データから印刷部１１３が印刷可能なラスタイメージデータに変換することを含む。最後にステップＳ６に進み、ステップＳ３で設定された印刷部数等の指示に基づく印刷処理を終了したかどうかをＣＰＵ３１１が判断する。ここで印刷処理を終了していないと判断した場合はステップＳ５へ戻って、同様の処理を繰り返す。一方、ステップＳ６で、印刷処理を終了したと判断した場合はステップＳ１に戻り、ユーザからの指示待ち状態となる。
【００２９】
このようにして外部メモリ３２５が装着されたことを検知すると、その外部メモリ３２５を使用した機能（ここではダイレクト印刷）が実行可能となる。
【００３０】
図４は、本実施の形態に係るＭＦＰ１００の操作パネル１１１の表示部１１１ｂに表示される画面の一例を示す図である。この画面は、例えば、外部メモリ３２５の装着を検出したときに、図３のステップＳ３でＣＰＵ３１１の制御の下で表示される表示例を示している。
【００３１】
図において、４１１〜４１４はＭＦＰ１００の機能のメニュー表示（コピー、ＦＡＸ，データ送信、ダイレクト印刷）を示している。ダイレクト印刷表示４１４は、前述の外部メモリ３２５が装着された場合にのみ表示される。４１５は、選択された機能（４１１〜４１４）に対応するメニューを表示するエリアである。図４では、ダイレクト印刷機能が選択された状態を示している。ここではエリア４１５に、ダイレクト印刷のメニュー、印刷プレビュー、印刷設定等の指示項目が表示され、ここではＡ４サイズの普通紙(plain paper)に、標準(standard)で印刷するように設定されている。
【００３２】
図５は、本実施の形態に係るＭＦＰ１００において、リムーバブルメディアＩ／Ｆ１１２に何も装着されていない場合の操作パネル１１１の表示部１１１ｂに表示される画面の一例を示す図である。図５において、図４と共通する部分は同じ記号で示している。
【００３３】
ここではエリア４１５には、選択されたコピー機能４１１に対応するメニューが表示されている。この図５では、リムーバブルメディアＩ／Ｆ１１２に外部メモリ３２５が装着されていないため、この外部メモリ３２５から画像データを読み出して印刷部１１３で印刷するダイレクト印刷機能のメニュー（４１４）が表示されていない。
【００３４】
図６は、本実施の形態に係るＭＦＰ１００において、外部メモリ３２５の取り忘れがあると判断した場合に操作パネル１１１の表示部１１１ｂに表示される画面の一例を示す図である。ここでも図４と共通する部分は同じ記号で示している。
【００３５】
図において、６１５は、外部メモリ３２５を取り忘れていることをユーザに警告するメッセージである。また図６では、ダイレクト印刷表示４１４に関連したメッセージの表示であるため、その機能のメニュー表示（４１４）が強調されている。
【００３６】
尚、ここで外部メモリ３２５の取り忘れがあるかどうかの判断は以下のようにして行っている。即ち、その外部メモリ３２５にアクセスする機能、例えばダイレクト印刷機能の実行後、その外部メモリ３２５が連続して装着されたままで、かつその外部メモリ３２５へのアクセス、或は操作部１１１ａでの操作が所定時間行われない場合としている。この所定時間は、操作部１１１ａからユーザが任意に指定できるものとし、できるだけ短い時間、例えば１分以内が好ましい。
【００３７】
図７は、本実施の形態に係るＭＦＰ１００において、外部メモリ３２５の取り忘れがあると判断した場合に、ユーザ或は管理者等に外部メモリ３２５の取り忘れがあることをメール等で通知するための文書データの一例を示す図である。
【００３８】
図において７００は、ユーザに対して外部メモリ３２５が装着されたままで、取り忘れが発生していることを報知するメッセージ例を示している。７１１は、ユーザ（部門）の登録情報に基づいて作成される。ここではユーザが属している部署、ユーザＩＤ、氏名、メールアドレス等が含まれている。７１２は、ＭＦＰ１００が外部メモリ３２５が取り忘れられたと判断した日時情報を含んでいる。７１３は、ＭＦＰ１００の名称やモデル名、設置場所等を含んでいる。７１４は、装着されている外部メモリ３２５の情報から作成される。ここで、このメールアドレスとして、ユーザの携帯電話のメールアドレスを登録することにより、より迅速にユーザに通知することができる。
【００３９】
図８は、本実施の形態に係るＭＦＰ１００における、外部メモリ３２５の取り忘れの制御処理を示すフローチャートである。この処理を実行するプログラムはＲＯＭ３１３或はハードディスク３２３に記憶されており、ＣＰＵ３１１の制御の下に実行される。このフローチャートは、ＣＰＵ３１１による外部メモリ３２５を使用する機能を無効にするタスク手順に対応している。また、このタスクは、外部メモリ３２５が装着されたままで、ある一定期間連続して外部メモリ３２５へのアクセスがない、或は、ＭＦＰ１００の操作部１１１ａで操作がない場合に起動されるタスクである（警告手段）。
【００４０】
まずステップＳ１１で、外部メモリ３２５が装着されていると判断された状態で、ある一定時間、その外部メモリ３２５へのアクセスがあったか否かをＣＰＵ３１１が判断する。一定時間、外部メモリ３２５へのアクセス、或は操作がなかったと判断した場合はステップＳ１２に進むが、そうでない場合はステップＳ１１で、次の一定時間が経過するまで待機する。尚、この一定時間とは、ユーザが操作パネル１１１を使用して設定できる。こうして設定された時間は、ＮＶＲＡＭ或はハードディスク３２３等に記憶されている。
【００４１】
次にステップＳ１２では、ユーザ（部門）が認証済みか否かを判定し、認証済みの場合はステップＳ１３に進む。ステップＳ１２で認証済みでない場合はステップＳ１４に進む。尚、ユーザ（部門）の認証は、予めＩＤ、パスワード、メールアドレス等を、前述のＮＶＲＡＭ或はハードディスク３２３に登録しておくことによりなされる。そして操作パネル１１１の表示部１１１ｂにログイン画面を表示して、入力されたユーザ（部門）ＩＤとパスワードを、その記憶している登録情報と照合してユーザを認証し、その認証結果に基づいて、そのユーザによる使用の許可或は禁止を行う。こうして許可されたユーザだけが、このＭＦＰ１００を使用できることになる。
【００４２】
ステップＳ１３では、認証済みのユーザ（部門）の登録情報に基づいて、図７に示すような内容の文書データを作成する。そして、この文書データを、その認証済みのユーザ（部門）の登録情報にあるメールアドレス等に、電子メール等の通信手段を用いて通知する。
【００４３】
またステップＳ１４でも、ハードディスク３２３等に登録された管理者に、電子メール等の通信手段を用いて外部メモリ３２５の取り忘れがあることを通知する。尚、この管理者は、予め管理者ＩＤ、パスワード、メールアドレス等を、ＮＶＲＡＭやハードディスク３２３に登録しているものとする。管理者ＩＤで認証を行ってユーザ（部門）を登録しておくことにより、ＭＦＰ１００に障害が起こった場合に、その登録された管理者のメールアドレスに通知することができる。
【００４４】
次にステップＳ１５に進み、その外部メモリ３２５を使用する機能を無効にする。例えば、図４に示すような外部メモリ３２５が装着されている状態の操作画面から、図５に示すような外部メモリ３２５が装着されていない状態と同じ操作画面に変更する（機能無効化手段）。このように、外部メモリ３２５を使用する処理を指示できないようにして、このタスクを終了する。
【００４５】
このステップＳ１５では、操作パネル１１１の表示部１１１ｂに、外部メモリ３２５の取り忘れを警告する表示を行なわずに、外部メモリ３２５を使用する機能表示を無効にしている。これにより、外部メモリ３２５の取り忘れがあることを、第三者に認識されないようにすることができる。
【００４６】
図９は、本実施の形態に係るＭＦＰ１００における、認証解除時の外部メモリ３２５の取り忘れの制御処理を示すフローチャートである。この処理手順は、ＣＰＵ３１１がＲＯＭ３１３やハードディスク３２３に記憶された制御プログラムに基づいて、ＭＦＰ１００のＣＰＵ３１１による外部メモリを使用する機能を無効にするタスク手順に対応する。尚、各ステップは、ＣＰＵ３１１がＲＯＭ３１３や外部メモリに記憶された制御プログラムをＲＡＭ３１２にロードして実行することで実現される。また、このタスクは、ユーザ、部門等の認証が解除された場合に動作するタスクである。
【００４７】
まずステップＳ２１で、ユーザが認証済みの状態から、その認証を解除する（例えばログオフ）ための操作等を行ったことに応答して、認証が解除されたことを確認する。次にステップＳ２２に進み、リムーバブルメディアＩ／Ｆ１１２に外部メモリ３２５が装着されているかを判別する。ここで装着されていると判断した場合はステップＳ２３に進み、装着されていないと判断した場合は、このタスクを終了する。
【００４８】
ステップＳ２３では、ＭＦＰ１００はユーザに対して外部メモリ３２５を抜くように、操作パネル１１１の表示部１１１ｂに「メモリの取り忘れがあります」というメッセージを表示する。次にステップＳ２４に進み、一定時間が経過するまで、このメッセージを表示したままにする。そして、この一定時間が経過するとステップＳ２５に進み、操作パネル１１１の表示を、例えば図５に示すような画面に変更する。そして、このとき、認証済みのユーザ（部門）の登録情報に基づいて、例えば図７に示すような文書データを作成し、電子メール等の通信手段を用いて、ユーザ（部門）とＭＦＰ１００の管理者に通知する。
【００４９】
次にステップＳ２６に進み、ステップＳ２３で表示した警告メッセージを消去し、外部メモリ３２５を使用する機能を無効にする。例えば、図４に示すような外部メモリ３２５が装着されている状態の操作画面から、図５に示すような外部メモリ３２５が装着されていない状態と同じ操作画面に変更する。こうしてメニュー画面から、外部メモリ３２５を使用する機能を指示できないようにして、このタスクを終了する。
【００５０】
尚、ステップＳ２１におけるユーザ（部門）認証の解除操作は、その外部メモリ３２５のユーザが行うので、ステップＳ２３の警告表示は、その外部メモリ３２５の所有者であるユーザに限定して表示されることになる。また警告表示から一定時間が経過した後は、そのユーザがＭＦＰ１００から離れている可能性が高い。そのため操作部１１１ａの警告表示を消去する。そして外部メモリ３２５を使用した機能を指示できないようにして、そのユーザ以外の第三者に対して、その外部メモリ３２５の取り忘れがあることを気付かれないようにしている。
【００５１】
図１０は、本実施の形態に係るＭＦＰ１００における、ＥＳＳ押下時の外部メモリ３２５の取り忘れの制御処理を示すフローチャートである。これはＣＰＵ３１１がＲＯＭ３１３やハードディスク３２３に記憶された制御プログラムに基づいて、ＭＦＰ１００のＣＰＵ３１１による外部メモリを使用する機能を無効にするタスク手順に対応する。尚、各ステップはＣＰＵ３１１がＲＯＭ３１３や外部メモリに記憶された制御プログラムをＲＡＭ３１２にロードして実行することで実現される。また、このタスクは、操作パネル１１１に設けられた、ＭＦＰ１００の状態をスリープモードに変更するスイッチ（ＥＳＳ：Energy Saving Switch）が押下された場合に動作するタスクである。尚、このスリープモードとは、操作パネル１１１の表示を消す等の制御を行い、ＭＦＰ１００における消費電力を抑える節電モードのことである。
【００５２】
まずステップＳ３１で、ＥＳＳが押下されたことを確認する。次にステップＳ３２に進み、リムーバブルメディアＩ／Ｆ１１２に外部メモリ３２５が装着されているかを確認し、装着されていると判断した場合はステップＳ３３に進み、装着されていないと判断した場合はステップＳ３９に進む。ステップＳ３３でＭＦＰ１００は、ユーザに対して外部メモリ３２５を脱着するように、操作パネル１１１の表示部１１１ｂに、図６に示すようなメッセージのみを表示し、その他の機能のメニュー項目（４１１〜４１４）を表示しない。そしてステップＳ３４で、ある一定時間が経過するまでメッセージを表示したままにし、その一定時間が経過するとステップＳ３５に進む。
【００５３】
ステップＳ３５では、ユーザ（部門）が認証済みであるか否かを判定し、認証済みであればステップＳ３６に進み、認証済みで無い場合はステップＳ３７に進む。ステップＳ３６では、認証済みのユーザ（部門）の登録情報に基づいて、例えば図７に示すような文書データを作成し、電子メール等の通信手段を用いて、そのユーザ（部門）に外部メモリ３２５の取り忘れがあることを通知する。そしてステップＳ３７に進み、ＭＦＰ１００の管理者に電子メール等の通信手段を用いて、外部メモリ３２５の取り忘れがあることを通知する。次にステップＳ３８に進み、一定時間が経過した後、ステップＳ３３で表示部１１１ｂに表示したメッセージを消去する。そして外部メモリ３２５を使用する機能表示を消してステップＳ３９に進む。ステップＳ３９では、操作パネル１１１の表示部１１１ｂに表示を消す等の制御を行って、ＭＦＰ１００の状態をスリープモードに変更して、このタスクを終了する。
【００５４】
尚、ＥＳＳの押下時の警告表示は、そのユーザが操作する可能性が極めて高いので、外部メモリ３２５の所有者に対して表示される可能性が高い。一方、この警告表示から一定時間が経過した後は、その取り忘れている外部メモリ３２５の所有者がＭＦＰ１００から離れている可能性が高い。従って、その場合には、警告表示を消去して、外部メモリ３２５を使用する機能を無効にして、ＭＦＰ１００の状態をスリープモードに変更する。よって、スリープモードからの復帰時は、例えば、図５に示すように、外部メモリ３２５が装着されていない状態と同じ操作画面で表示される。このようにして外部メモリ３２５を使用する機能を指示できないようにすることで、外部メモリ３２５の取り忘れがあることを、そのユーザ以外の第三者が気付かないようにできる。
【００５５】
図１１は、本実施の形態に係るＭＦＰ１００における、電源投入時の外部メモリ３２５の取り忘れの制御処理を示すフローチャートである。この処理は、ＣＰＵ３１１がＲＯＭ３１３やハードディスク３２３に記憶された制御プログラムに基づいて、ＭＦＰ１００のＣＰＵ３１１による外部メモリを使用する機能を無効にするタスク手順に対応する。尚、各ステップはＣＰＵ３１１がＲＯＭ３１３や外部メモリに記憶された制御プログラムをＲＡＭ３１２にロードして実行することで実現される。また、このタスクは、ＭＦＰ１００の本体電源投入時、スリープモード復帰時に動作するタスクである。
【００５６】
まずステップＳ４１で、ＭＦＰ１００の電源が投入、あるいはＥＳＳ押下によりスリープ状態からの復帰が指示されたことを確認する。次にステップＳ４２に進み、リムーバブルメディアＩ／Ｆ１１２に外部メモリ３２５が装着されているか否かを判定する。ここで外部メモリ３２５が装着されていると判定した場合は、ステップＳ４３に進み、装着されていないと判断した場合は、このタスクを終了する。ステップＳ４３では、ハードディスク３２３等に登録された管理者に、電子メール等の通信手段を用いて外部メモリ３２５の取り忘れがあることを通知する。次にステップＳ４４に進み、外部メモリ３２５を使用する機能への指示を無効にして、このタスクを終了する。
【００５７】
以上の構成により、電源投入時、あるいはスリープモードからの復帰時は、例えば、図５に示すように、外部メモリ３２５が装着されていない状態と同じ操作画面にする等して、外部メモリ３２５を使用する機能を指示できないようにしている。これにより、外部メモリ３２５の取り忘れがあることを、第三者が気付かないようにできる。
【００５８】
尚、上記実施の形態において、ユーザ管理、部門管理、管理者の登録情報に、メールアドレス等のアドレスが含まれていない場合には、電子メールでの通知処理を省略しても良い。
【００５９】
また、取り忘れがあった外部メモリ３２５に、外部メモリ３２５の所有者のメールアドレスが記憶されている場合、外部メモリ３２５に記憶されているメールアドレスを電子メールでの通知宛先としても良い。
【００６０】
また、外部メモリ３２５を使用する機能が無効にされている状態において、リムーバブルメディアＩ／Ｆ１１２が外部メモリ３２５とデータを読み書きすることを禁止するようにしても良い。
【００６１】
また外部メモリ３２５を使用する機能を無効にするか否かは、ユーザが任意に設定できるようにしても良い。
【００６２】
また外部メモリ３２５を使用する処理が無効になっている状態を解除するには、新たな外部メモリ３２５をリムーバブルメディアＩ／Ｆ１１２の別のスロットに装着するか、無効中の外部メモリ３２５を取り外すことにより実現できる。
【００６３】
（他の実施形態）
以上、本発明の実施形態について詳述したが、本発明は、複数の機器から構成されるシステムに適用しても良いし、また一つの機器からなる装置に適用しても良い。
【００６４】
なお、本発明は、前述した実施形態の機能を実現するソフトウェアのプログラムを、システム或いは装置に直接或いは遠隔から供給し、そのシステム或いは装置のコンピュータが該供給されたプログラムを読み出して実行することによっても達成され得る。その場合、プログラムの機能を有していれば、形態は、プログラムである必要はない。
【００６５】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等、プログラムの形態を問わない。
【００６６】
プログラムを供給するための記録媒体としては、様々なものが使用できる。例えば、フロッピー（登録商標）ディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などである。
【００６７】
その他、プログラムの供給方法としては、クライアントコンピュータのブラウザを用いてインターネットのホームページに接続し、該ホームページからハードディスク等の記録媒体にダウンロードすることによっても供給できる。その場合、ダウンロードされるのは、本発明のコンピュータプログラムそのもの、もしくは圧縮され自動インストール機能を含むファイルであってもよい。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明のクレームに含まれるものである。
【００６８】
また、本発明のプログラムを暗号化してＣＤ−ＲＯＭ等の記憶媒体に格納してユーザに配布する形態としても良い。その場合、所定の条件をクリアしたユーザに対し、インターネットを介してホームページから暗号化を解く鍵情報をダウンロードさせ、その鍵情報を使用することにより暗号化されたプログラムが実行可能な形式でコンピュータにインストールされるようにする。
【００６９】
また、コンピュータが、読み出したプログラムを実行することによって、前述した実施形態の機能が実現される形態以外の形態でも実現可能である。例えば、そのプログラムの指示に基づき、コンピュータ上で稼動しているＯＳなどが、実際の処理の一部または全部を行ない、その処理によっても前述した実施形態の機能が実現され得る。
【００７０】
更に、記録媒体から読み出されたプログラムが、コンピュータに挿入された機能拡張ボードやコンピュータに接続された機能拡張ユニットに備わるメモリに書き込まれるようにしてもよい。この場合、その後で、そのプログラムの指示に基づき、その機能拡張ボードや機能拡張ユニットに備わるＣＰＵなどが実際の処理の一部または全部を行ない、その処理によって前述した実施形態の機能が実現される。
【図面の簡単な説明】
【００７１】
【図１】本発明の実施の形態に係る画像形成装置（ＭＦＰ）の外観斜視図である。
【図２】本実施の形態に係るＭＦＰのハードウエア構成を示すブロック図である。
【図３】本発明の実施の形態に係るＭＦＰにおける外部メモリを使用した機能の処理手順の一例を示すフローチャートである。
【図４】本実施の形態に係るＭＦＰの操作パネルの表示部に表示される画面の一例を示す図である。
【図５】本実施の形態に係るＭＦＰにおいて、リムーバブルメディアＩ／Ｆに何も装着されていない場合の操作パネルの表示部に表示される画面の一例を示す図である。
【図６】本実施の形態に係るＭＦＰにおいて、外部メモリの取り忘れがあると判断した場合に操作パネルの表示部に表示される画面の一例を示す図である。
【図７】本実施の形態に係るＭＦＰにおいて、外部メモリの取り忘れがあると判断した場合に、ユーザ或は管理者等に外部メモリの取り忘れがあることを通知する文書データの一例を示す図である。
【図８】本実施の形態に係るＭＦＰにおける、外部メモリの取り忘れの制御処理を示すフローチャートである。
【図９】本実施の形態に係るＭＦＰにおける、認証解除時の外部メモリの取り忘れの制御処理を示すフローチャートである。
【図１０】本実施の形態に係るＭＦＰにおける、ＥＳＳ押下時の外部メモリの取り忘れの制御処理を示すフローチャートである。
【図１１】本実施の形態に係るＭＦＰにおける、電源投入時の外部メモリの取り忘れの制御処理を示すフローチャートである。
【図１】
2008153790.tif 000003
【図２】
2008153790.tif 000004
【図３】
2008153790.tif 000005
【図４】
2008153790.tif 000006
【図５】
2008153790.tif 000007
【図６】
2008153790.tif 000008
【図７】
2008153790.tif 000009
【図８】
2008153790.tif 000010
【図９】
2008153790.tif 000011
【図１０】
2008153790.tif 000012
【図１１】
2008153790.tif 000013
【手続補正書】
【提出日】平成19年11月8日(2007.11.8)
【手続補正１】
【補正対象書類名】特許請求の範囲
【補正対象項目名】全文
【補正方法】変更
【補正の内容】
【特許請求の範囲】
【請求項１】
画像処理装置であって、
外部メモリを着脱可能に接続する接続手段と、
前記接続手段に前記外部メモリが接続されているか否かを検知する検知手段と、
前記外部メモリから読み出された画像データに基づいて出力処理を実行する出力手段と、
前記外部メモリが前記接続手段に接続されていると前記検知手段が検知した後、前記外部メモリへのアクセスが予め決められた時間行われない場合に、前記外部メモリに記憶された画像データに基づく前記出力手段による出力処理の実行を禁止するよう制御する制御手段と、
を有することを特徴とする画像処理装置。
【請求項２】
前記出力手段は、画像データに基づいてシートを印刷処理することを特徴とする請求項１に記載の画像処理装置。
【請求項３】
前記外部メモリが前記接続手段に接続されていると前記検知手段が検知した後、前記外部メモリへのアクセスが予め決められた時間行われない場合に、前記外部メモリが接続されている旨を報知する報知手段を更に有することを特徴とする請求項１又は２に記載の画像処理装置。
【請求項４】
前記予め決められた時間をユーザにより設定させる設定手段を更に有することを特徴とする請求項１乃至３のいずれか１項に記載の画像処理装置。
【請求項５】
画像処理装置であって、
ユーザによる前記画像処理装置に対する操作を入力する入力手段と、
外部メモリを着脱可能に接続する接続手段と、
前記接続手段に前記外部メモリが接続されているか否かを検知する検知手段と、
前記外部メモリから読み出された画像データに基づいて出力処理を実行する出力手段と、
前記入力手段により前記出力処理を実行させる出力指示が入力された場合に、前記外部メモリから画像データを読み出して前記出力手段に前記出力処理を実行させるよう制御する制御手段とを有し、
前記制御手段は、前記外部メモリが前記接続手段に接続されていると前記検知手段が検知した後、前記入力手段による操作の入力が予め決められた時間行われない場合に、前記外部メモリに記憶された画像データに基づく前記出力手段による出力処理の実行を禁止することを特徴とする画像処理装置。
【請求項６】
前記出力手段は、画像データに基づいてシートを印刷処理することを特徴とする請求項５に記載の画像処理装置。
【請求項７】
前記外部メモリが前記接続手段に接続されていると前記検知手段が検知した後、前記外部メモリへのアクセスが予め決められた時間行われない場合に、前記外部メモリが接続されている旨を報知する報知手段を更に有することを特徴とする請求項５又は６に記載の画像処理装置。
【請求項８】
前記予め決められた時間をユーザにより設定させる設定手段を更に有することを特徴とする請求項５乃至７のいずれか１項に記載の画像処理装置。
【請求項９】
前記制御手段は、前記入力手段による出力指示の入力を禁止することで、前記外部メモリに記憶された画像データに基づく前記出力処理の実行を禁止することを特徴とする請求項５乃至８のいずれか１項に記載の画像処理装置。
【請求項１０】
画像処理装置の制御方法であって、
外部メモリが前記画像処理装置に接続されているか否かを検知する検知工程と、
前記外部メモリから読み出された画像データに基づいて出力処理を実行する出力工程と、
前記外部メモリが前記画像処理装置に接続されていると前記検知工程が検知した後、前記外部メモリへのアクセスが予め決められた時間行われない場合に、前記外部メモリに記憶された画像データに基づく前記出力工程による出力処理の実行を禁止するよう制御する制御工程と、
を有することを特徴とする画像処理装置の制御方法。
【請求項１１】
画像処理装置の制御方法であって、
ユーザによる前記画像処理装置に対する操作を入力する入力工程と、
外部メモリが前記画像処理装置に接続されているか否かを検知する検知工程と、
前記外部メモリから読み出された画像データに基づいて出力処理を実行する出力工程と、
前記入力工程により前記出力処理を実行させる出力指示が入力された場合に、前記外部メモリに記憶された画像データを読み出して出力処理を実行するよう制御する制御工程とを有し、
前記制御工程は、前記外部メモリが前記画像処理装置に接続されていると前記検知工程が検知した後、前記入力工程による操作の入力が予め決められた時間行われない場合に、前記外部メモリに記憶された画像データに基づく前記出力工程による出力処理の実行を禁止することを特徴とする画像処理装置の制御方法。
【手続補正３】
【補正対象書類名】明細書
【補正対象項目名】０００１
【補正方法】変更
【補正の内容】
【０００１】
本発明は、例えばＵＳＢ（Universal Serial Bus）メモリやメモリカード等の外部メモリを装着できる画像処理装置及びその制御方法に関する。
【手続補正４】
【補正対象書類名】明細書
【補正対象項目名】０００８
【補正方法】変更
【補正の内容】
【０００８】
上記目的を達成するために本発明の一態様に係る画像処理装置は以下のような構成を備える。即ち、
画像処理装置であって、
外部メモリを着脱可能に接続する接続手段と、
前記接続手段に前記外部メモリが接続されているか否かを検知する検知手段と、
前記外部メモリから読み出された画像データに基づいて出力処理を実行する出力手段と、
前記外部メモリが前記接続手段に接続されていると前記検知手段が検知した後、前記外部メモリへのアクセスが予め決められた時間行われない場合に、前記外部メモリに記憶された画像データに基づく前記出力手段による出力処理の実行を禁止するよう制御する制御手段と、を有することを特徴とする。
【手続補正５】
【補正対象書類名】明細書
【補正対象項目名】０００９
【補正方法】変更
【補正の内容】
【０００９】
上記目的を達成するために本発明の一態様に係る画像処理装置は以下のような構成を備える。即ち、
画像処理装置であって、
ユーザによる前記画像処理装置に対する操作を入力する入力手段と、
外部メモリを着脱可能に接続する接続手段と、
前記接続手段に前記外部メモリが接続されているか否かを検知する検知手段と、
前記外部メモリから読み出された画像データに基づいて出力処理を実行する出力手段と、
前記入力手段により前記出力処理を実行させる出力指示が入力された場合に、前記外部メモリから画像データを読み出して前記出力手段に前記出力処理を実行させるよう制御する制御手段とを有し、
前記制御手段は、前記外部メモリが前記接続手段に接続されていると前記検知手段が検知した後、前記入力手段による操作の入力が予め決められた時間行われない場合に、前記外部メモリに記憶された画像データに基づく前記出力手段による出力処理の実行を禁止することを特徴とする。
【手続補正６】
【補正対象書類名】明細書
【補正対象項目名】００１０
【補正方法】変更
【補正の内容】
【００１０】
上記目的を達成するために本発明の一態様に係る画像処理装置の制御方法は以下のような工程を備える。即ち、
画像処理装置の制御方法であって、
外部メモリが前記画像処理装置に接続されているか否かを検知する検知工程と、
前記外部メモリから読み出された画像データに基づいて出力処理を実行する出力工程と、
前記外部メモリが前記画像処理装置に接続されていると前記検知工程が検知した後、前記外部メモリへのアクセスが予め決められた時間行われない場合に、前記外部メモリに記憶された画像データに基づく前記出力工程による出力処理の実行を禁止するよう制御する制御工程と、を有することを特徴とする。
【手続補正７】
【補正対象書類名】明細書
【補正対象項目名】００１１
【補正方法】変更
【補正の内容】
【００１１】
上記目的を達成するために本発明の一態様に係る画像処理装置の制御方法は以下のような工程を備える。即ち、
画像処理装置の制御方法であって、
ユーザによる前記画像処理装置に対する操作を入力する入力工程と、
外部メモリが前記画像処理装置に接続されているか否かを検知する検知工程と、
前記外部メモリから読み出された画像データに基づいて出力処理を実行する出力工程と、
前記入力工程により前記出力処理を実行させる出力指示が入力された場合に、前記外部メモリに記憶された画像データを読み出して出力処理を実行するよう制御する制御工程とを有し、
前記制御工程は、前記外部メモリが前記画像処理装置に接続されていると前記検知工程が検知した後、前記入力工程による操作の入力が予め決められた時間行われない場合に、前記外部メモリに記憶された画像データに基づく前記出力工程による出力処理の実行を禁止することを特徴とする。
【手続補正８】
【補正対象書類名】明細書
【補正対象項目名】００１２
【補正方法】変更
【補正の内容】
【００１２】
本発明によれば、着脱可能な外部メモリが画像処理装置に接続されたまま報知された場合の不具合を解消する画像処理装置及びその制御方法を提供できる。